(57)【要約】      （修正有）【課題】軽い肉体的負担で安定的に摩擦調整できるフラットパネル型電子ディスプレー用の自己平衡式マウントを提供する。【解決手段】フラットパネル型ディスプレー取付装置は不連続軸受を有したディスプレー取付構造部を含んでいる。軸受は増加した摩擦押圧力に対応して放射状に膨張する。摩擦押圧力は不連続軸受に軸方向で適用される。放射膨張は不連続軸受により与えられた所望の摩擦係合力を維持する。フラットパネル型ディスプレー取付装置は軸受を有したディスプレー取付構造部をさらに含んでいる。軸受は中央軸を有している。押圧手段は軸受と選択的に係合する。【選択図】なし【特許請求の範囲】
【請求項１】
フラットパネル型電子ディスプレー取付装置であって、
不連続軸受を有したディスプレー取付構造部を含んでおり、該不連続軸受は増大した摩擦押圧力に対応して放射状に膨張でき、該摩擦押圧力は前記不連続軸受に対して軸方向に適用され、前記放射膨張は前記不連続軸受により提供された摩擦係合の所望強度を維持させることを特徴とするマウント。
【請求項２】
不連続軸受は環状であることを特徴とする請求項１記載の取付装置。
【請求項３】
不連続軸受は環部に提供された間隙を有していることを特徴とする請求項２記載の取付装置。
【請求項４】
ディスプレー取付構造部は環部の間隙に設置できるセットスクリュを有していることを特徴とする請求項３記載の取付装置。
【請求項５】
不連続軸受の回転を防止するセットスクリュが提供されていることを特徴とする請求項４記載の取付装置。
【請求項６】
不連続軸受は軸受面を有しており、該軸受面はディスプレー取付構造部のカップ部のカップ壁に対応する形状であることを特徴とする請求項１記載の取付装置。
【請求項７】
不連続軸受は内軸受面を有しており、該内軸受面はディスプレー取付構造部の本体部の後壁の隣接面に対応する形状であることを特徴とする請求項１記載の取付装置。
【請求項８】
不連続軸受は内軸受面と交差する斜角面を有していることを特徴とする請求項１記載の取付装置。
【請求項９】
不連続軸受の斜角面と選択的に係合できる押圧手段を有していることを特徴とする請求項８記載の取付装置。
【請求項１０】
不連続軸受の内軸受面と選択的に係合できる押圧手段を有していることを特徴とする請求項７記載の取付装置。
【請求項１１】
非水平固定構造体に取り付けるように設計された自己平衡調整式フラットパネル型電子ディスプレー構造体であって、
固定構造体に取り付けるように設計された支持構造部と、
フラットパネル型電子ディスプレー装置と、
前記フラットパネル型電子ディスプレー装置をその上に受領する装置接続部と、
前記装置接続部と前記支持構造部とを作動式に結合させるガイド構造部と、
を含んでおり、該ガイド構造部は本体部と、該本体部に受領された軸受構造部とを含んでおり、該軸受構造部はカップ部の外面を係合ガイドするものであり、本構造体は、前記カップ部の前記外面に対して前記軸受構造部を選択的に押圧する手段をさらに含んでいることを特徴とする構造体。
【請求項１２】
カップ部の外面に対して軸受構造部を選択的に押圧する手段は該軸受構造部の中央軸と実質平行である軸で該軸受構造部と選択的に係合することを特徴とする請求項１１記載の構造体。
【請求項１３】
カップ部の外面に対して軸受構造部を選択的に押圧する手段はスクリュを含んでいることを特徴とする請求項１２記載の構造体。
【請求項１４】
カップ部の外面に対して軸受構造部を選択的に押圧する手段は、軸受構造部の中央軸を横断する軸で該軸受構造部と選択的に係合することを特徴とする請求項１１記載の構造体。
【請求項１５】
カップ部の外面に対して軸受構造部を選択的に押圧する手段はスクリュを含んでいることを特徴とする請求項１４記載の構造体。
【請求項１６】
フラットパネル型電子ディスプレー取付装置であって、不連続軸受を有したディスプレー取付構造部を含んでおり、該不連続軸受は中央軸を有しており、該軸受と選択的に係合する押圧手段をさらに含んでいることを特徴とする取付装置。
【請求項１７】
押圧手段は軸受の中央軸と実質平行な軸で軸受と選択的に係合することを特徴とする請求項１６記載の取付装置。
【請求項１８】
押圧手段は軸受の中央軸を横断する軸で軸受と選択的に係合することを特徴とする請求項１６記載の取付装置。
【請求項１９】
フラットパネル型電子ディスプレー取付装置で所望の摩擦係合強度を維持する方法であって、不連続軸受を提供するステップと、該不連続軸受に軸方向で適用される摩擦押圧力に対応して該軸受を放射状に膨張させるステップとを含んでいることを特徴とする方法。
【請求項２０】
不連続軸受の中央軸と実質平行であるか、横断する軸で押圧手段を該不連続軸受と選択的に係合させるステップを含んでいることを特徴とする請求項１９記載の方法。
【発明の詳細な説明】
【技術分野】
【０００１】
本願は２００６年１月４日出願の米国仮特許願６０/７５６１８１の優先権を主張する。
【０００２】
本発明は電子ディスプレーのマウント（取付装置）に関し、さらに特定すれば、固定構造物に取り付けられたプラズマスクリーンあるいはＬＣＤスクリーンのごときフラットパネル型電子ディスプレーの取付装置に関する。
【背景技術】
【０００３】
フラットパネル型ディスプレー（表示装置）は投射装置並びにＣＲＴの人気が高い代替装置となってきている。フラットパネル型ディスプレーは典型的には壁のごとき構造物に取り付けられる。フラットパネル型ディスプレー、特にＬＣＤは典型的にはディスプレー正面からが最も明瞭に観ることができ、正面以外では表示画面はしばしば暗かったり、全く観ることができなかったりする。
【０００４】
よって、フラットパネル型ディスプレーを最良の角度に調整できることが望ましい。様々なポジション（位置及び角度）調整装置が利用されてきた。例えば、摩擦式ヒンジ機構、スプリング等のバネ式リンク機構、並びにラッチ機構である。摩擦式装置やラッチ装置の調整には、装置自身の選択ポジションを維持しつつ、同時にフラットパネル型ディスプレーを適正角度に保持しなければならなかった。よって、利用者はフラットパネル型ディスプレーの大部分の重量を支えていなければならなかった。場合によっては、ポジション調整装置の摩擦抵抗力も負担になった。
【０００５】
また、従来装置で利用されるヒンジやピボット継手はディスプレーのポジション調整を継手あたり１本だけの軸周囲で可能にする。そのような装置のディスプレーポジション調整性能は経済性及び実用性の観点で決定される継手の数により制限される。
【０００６】
バネ式リンク機構は高価である。例えば、米国特許６４１９１９６（スイール他）は、窒素ガス反発式カウンタバランス機構を利用してフラットパネル型ディスプレーを支持し、ポジション調整する複継手回動式支持アームを開示する。
【０００７】
米国特許願１０/４４９８３４並びに１１/１４７９８７で解説される従来技術装置においては、マウントは、ディスプレーの回動中心がディスプレーの重心近辺に位置するように提供されている。このデザインはディスプレーとマウントを本質的に自己平衡させ、ディスプレーポジション調整時に利用者の負担を軽減している。しかし、そのような装置においても、マウントの摩擦力を選択的に調節できる機能をマウントに提供し、接触によるディスプレーのポジション変更に対する抵抗性をマウントに付与すること、あるいはディスプレーを望むポジションにロック（固定）させることは有利であろう。
【発明の開示】
【発明が解決しようとする課題】
【０００８】
従来の摩擦調整機構の弱点は調整に手間がかかることである。さらに、ディスプレーの重量によって徐々に摩擦抵抗力が減少するという弱点も有している。
【０００９】
また、軽い肉体的負担で安定的に摩擦調整できるフラットパネル型電子ディスプレー用の低価格自己平衡式マウントが求められている。
【課題を解決するための手段】
【００１０】
１実施態様では本発明は産業界の前記要望に応えるフラットパネル型ディスプレー用取付装置を提供する。本発明の１実施態様によれば、中空球錐台（カップ部）を有したディスプレー接続部がフラットパネル型電子ディスプレーの背面に取り付けられる。カップ部はカップ部の外面と係合する外軸受と、カップ部の内面と係合する内軸受ディスクとの間で締め付けられる。摩擦調整スクリュが外軸受部分を取り付けた本体部分に提供されている。本体部分には内軸受ディスクも固定されている。摩擦調整スクリュを締め付けると、外軸受部分は本体部分からカップ部に抗して外側に押し出され、外軸受部分は内軸受ディスクに向かってさらに堅固に締め付けられ、カップ部と、カップ部に取り付けられたディスプレーのガイド構造物へのスライド動作に対する摩擦抵抗が増加する。ノブを摩擦調整スクリュに結合し、指先による摩擦の簡単な調整を可能にすることができる。スクリュを緩めると摩擦抵抗は減少し、ディスプレーを望むポジションに調整できる。カップ部はフラットパネル型ディスプレーを最少の肉体的負担でポジション調整できるよう、フラットパネル型ディスプレーの重心近辺に中心を有した湾曲形状で提供できる。
【００１１】
本発明の１実施態様では、不連続軸受を有したディスプレー用マウント構造体を含んだフラットパネル型電子ディスプレーが提供される。軸受は増加した摩擦押圧力に対応して放射状に膨張できる。押圧力は不連続軸受に対して軸方向に作用し、放射膨張は不連続軸受によって提供される摩擦係合を維持する。本発明の１実施態様によるフラットパネル型電子ディスプレー用マウントはさらに軸受を有したディスプレーマウント構造体を含むことができる。軸受は中央軸を有しており、押圧手段はベアリングと選択的に係合できる。さらに、フラットパネル型電子ディスプレー用マウントで、本発明の１実施態様は望む摩擦係合を維持する方法を提供する。
【発明を実施するための最良の形態】
【００１２】
本発明の１実施例による取付装置２０は、ディスプレー接続部２２、ガイド構造部２４及び支持構造部２６を有した取付装置構造部２１を含んでいる。
【００１３】
図１から図１０にかけて示す取付装置２０のディスプレー接続部２２は開口部３０を有するカップ部２８を含む。フランジ部３２はカップ部２８の外縁部３４から外側に延び、締具３７（図１参照）受領用の穴部３６を含み、ディスプレー接続部２２を電子ディスプレー装置３８に固定する。カップ部２８のカップ壁３３は後壁３５まで延びる。後壁３５は内部に中央孔３９を有する。
【００１４】
取付装置２０のガイド構造部２４は本体部４０、外軸受４２及び内軸受構造部４４を含んでいる。本体部４０はカップ形状であり、金属やポリマー等の材料で一体的に形成でき、後壁５４に結合された外円壁４６と内円壁４８を含んでいる。外円壁４６と内円壁４８は中間に円形凹部５０を提供する。中央隆起部５２は円筒状であり、後壁５４から前方に延びる。内ネジ孔５６は中央隆起部５２の中央軸５３と一致する。
【００１５】
ガイド構造部２４の外軸受４２は環状であり、本体部４０の凹部５０に受領される。外軸受４２の軸は好適には、外軸受４２が取付装置２０と一体的であるとき中央隆起部２４の長軸５３と共軸的に提供される。外軸受４２は軸受面５８を有している。軸受面５８はカップ部２８のカップ壁３３の外面６０と対応斜角形状である。外軸受４２は後壁５４に接する対面状の内軸受面８６を有している。内軸受面８６は後壁５４の隣接面と対応する形状である。外軸受４２は環状であるが、離れた端部６４、６６間で提供される間隙６２により不連続であってもよい（図１５参照）。
【００１６】
セットスクリュ６８はガイド構造部２４の後壁５４を通過して延び、凹部５０の外軸受４２の回転を妨害する。不連続外軸受４２の利点は間隙６２が外軸受４２を放射状に延ばさせ、外軸受４２の着置を助けることである。さらに、不連続外軸受４２は、不連続外軸受４２に対して軸５３の軸方向に摩擦押圧力が適用されるとき放射状に延び、取付装置２０内部に所望の摩擦押圧力を維持する助けとなる。
【００１７】
内軸受構造部４４は内軸受ディスク７０、ワッシャ７２及びネジ式締具７４を含む（図１１と図１２参照）。内軸受ディスク７０は正方孔７６を有している。正方孔７６は中央隆起部５２の平坦部７８で受領される。中央隆起部５２はカップ部２８の後壁３５に提供された孔３９を通過して延びる。ネジ式締具７４はワッシャ７２と正方孔７６を通過して延び、孔５６内に螺合し、内軸受構造部４４を本体部４０に固定し、カップ部２８は内軸受ディスク７０と外軸受４２の間で締め付けられる。
【００１８】
本発明の実施例によれば、摩擦調整具８０は取付装置２０の選択的な摩擦調整を可能にする。図１１の断面図で示す実施例では、摩擦調整具８０はスクリュ８２を含む。スクリュ８２はガイド構造部２４の後壁５４に提供されたネジ孔８３に受領される。
【００１９】
スクリュ８２が締め付けられると、スクリュ８２の先端８４は外軸受４２の内軸受面８６に接し、外軸受４２をカップ部２８の外面６０方向に押し、カップ体２８のカップ壁３３の内面８６を内軸受ディスク７０に対してさらに堅固に押圧する。従ってカップ部２８は内軸受ディスク７０と外軸受７２の間でさらに強固に締め付けられ、本体部４０に対するカップ部２８の移動の摩擦抵抗を増加させる。言うまでもなく、スクリュ８２を緩めるとカップ部２８に対する締め付け力が減少し、本体部４０に対するカップ部２８の移動摩擦抵抗が減少する。
【００２０】
図１２で図示する別実施例ではスクリュ８２は本体部４０の外壁４６に提供されたネジ孔８８を通過して延びる。斜角面８６は外軸受４２に提供されている。スクリュ８２の先端８４は斜角面と対応するようにテーパ加工できる。スクリュ８２が締め付けられると、スクリュ８２のテーパ先端８４は斜角面８６に沿って下方にスライドし、外軸受４２をカップ部２８の外面６０方向に押し出す。カップ部２８は内軸受ディスク７０と外軸受７２の間でさらに堅固に締め付けられ、本体部４０に対するカップ部２８の移動摩擦抵抗力を増加させる。前述のように、スクリュ８２を緩めると、外軸受４２は凹部５０内に後退し、カップ部２８には低減した締め付け力が作用する。実施例によっては、図１３、図１４Ａ及び図１４Ｂで示すように、ノブ９０がスクリュ８２と結合して、摩擦力の指先調整を可能にする。
【００２１】
図１９から図２２で示す別実施例では、取付装置２０は壁接続プレート１２０を含む。壁接続プレート１２０は取付装置構造部２１をその上に受領する。壁接続プレート１２０は後向き斜角面１２４を有したウェッジ型中央柱体１２２を含む。本体部４０の後面１２６は間隔を開けた締め付け構造部１２８のペアを有する。それぞれの構造部１２８は壁接続プレート１２０の後向き斜角面１２４に向く前方向き斜角面（図示せず）を有している。
【００２２】
図示の実施例では、壁接続プレート１２０には壁面１２９aと面する後面１２９を取り付けられる。取付装置構造部２１は、壁接続プレート１２０から、取付装置構造部２１を壁接続プレート１２０に対して垂直に移動させ、締め付け構造部１２８が中央柱体１２２から逸脱するまで外側に引っ張ることで取り外せる。壁接続プレート１２０への取付装置構造部２１の取り付けはこの手順の逆で達成される。
【００２３】
図１９から図２２の実施例において、取付装置構造部２１の外壁４６は本体部４０の上側１３２に隆起部１３０を含む。隆起部１３０は凹部５０内へ上面１２６から延び入る孔部１３４を提供する。ウェッジ要素１４０の上方シャフト１３８は孔部１３４内に受領されスライド式にガイドされる。一方、下方ウェッジ形状部１４２は外軸受４２の斜角面８６に接する。スクリュ１４４は孔部１３４に螺合し、上方シャフト１３８に接する。ノブ１４６はスクリュ１４４に固定され、ユーザにスクリュ１４４を指だけで操作させる。スクリュ１４４が締め付けられると、ウェッジ要素１４０は下方に押圧され、下方のウェッジ形状部１４２は斜角面８６に沿って下方にスライドし、外軸受４２をカップ部２８の外軸受６０に対して外側に押圧する。カップ部２８は内軸受ディスク７０と外軸受４２の間でさらに固く締め付けられ、本体部４０に対するカップ部２８の移動摩擦抵抗を増加させる。スクリュ１４４を緩めると外軸受４２は凹部５０内に後退し、カップ部２８には低減した締め付け力が作用し、本体部４０に対するカップ部２８の移動摩擦抵抗が低減する。
【００２４】
本発明の１実施例による摩擦調整機構は従来の摩擦調整機構に大きく勝る。ディスプレー接続部２２に取り付けられる電子ディスプレーの重量は主として本体部４０の締め付け具７４を介して支えられ、内軸受ディスク７０と外軸受４２を引き離すようには作用しない。その結果、電子ディスプレーの重量は従来装置のようにカップ部２８にかかる摩擦締め付け力を低減することはない。さらに、摩擦調整機構はディスプレー装置の重量を部分的に支持するようには作用しないので、摩擦調整の負担は軽い。これで、スクリュ１４４の指操作だけでディスプレーを所望のポジションにロックできる。さらに、外軸受４２は内軸受ディスク７０と外軸受４２との間のカップ部２８のさらにスムーズなスライド動作を提供する。
【００２５】
本発明の実施例では、カップ部２８にはディスプレーの重心と一致する中心を有した放射湾曲形状が提供できる（米国特許願１０/４４９８３８及び１１/１４７９８７参照）。これは電子ディスプレーを実質的に自己平衡させ、ディスプレーのポジション調整にはほとんど肉体的負担がかからない。
【００２６】
支持構造部２６はガイド構造部２４の壁や柱のごとき固定構造物への取り付けを可能にするどのようなものでも構わない。図１から図６の実施例では、支持構造部２６はピボットブロック９２、第１アーム９４、第２アーム９６、並びに壁プレート９８を含む。ピボットブロック９２はガイド構造部２４の後壁５４に固定具１００で取り付けられる。これは後壁５４の孔部１０２を通過して延び、ピボットブロック９２のネジ孔１０４で受領される。垂直孔１０６がピボットブロック９２に提供され、ボルト１０８を受領する。第１アーム９４は対応する垂直孔（図示せず）を有する。これはボルト１０８を受領し、ピボットブロック９２とガイド構造部２４の第１アーム９４に対する水平回動を可能にする。ナット１１０はボルト１０８上に螺合し、ピボットブロック９２と第１アーム９４を共に固定させる。金具１１２は孔１０６にフィットし、装置の上面を最終的に仕上げる。孔部１１４が金具１１２に提供され、ボルト１０８に工具でアクセスさせ、金具１１２を取り外すことなくボルト１０８を締め付けさせる。
【００２７】
第１アーム９４は第２アーム９６に回動式に取り付けられる。第２アーム９６は壁プレート９８に回動式に取り付けられる。スペーサ１１６が第１アーム９４と第２アーム９６との間に提供され、両アームを自由に作動させる。
【００２８】
本発明の他の実施例では、ガイド構造部２４は壁プレート９８と図７から図１０で示す１体のスイングアームのみで結合できる。あるいは図１６から図１８で示すように壁プレート９８に直接回動式に取り付けられる。どのような他の支持構造部でもガイド構造部２４を固定構造物に結合できる。そのような支持構造部は、例えば、固定構造物に対するガイド構造部２４の水平または垂直のポジション調整をさせるスイングアーム、折畳みアームあるいは多関節アームを含むことができる。
【図面の簡単な説明】
【００２９】
【図１】図１は本発明の１実施例によるフラットパネル型電子ディスプレー及び取付装置の斜視図である。
【図２】図２は本発明の１実施例による取付装置の平面図である。
【図３】図３は図２の実施例の底面図である。
【図４】図４は図２の実施例の側面図である。
【図５】図５は図２の実施例の背面図である。
【図６】図６は図２の実施例の正面図である。
【図７】図７は本発明の１実施例による取付装置の背後斜視図である。
【図８】図８は図７の実施例の平面図である。
【図９】図９は図７の実施例の底面図である。
【図１０】図１０は図７の実施例の側面図である。
【図１１】図１１は図８の１１−１１線に沿った断面図である。
【図１２】図１２は図１４Ａの１２−１２線に沿った断面図である。
【図１３】図１３は本発明の１実施例によるマウントのガイド構造部及びディスプレー接続部の一部側面図である。
【図１４Ａ】図１４Ａは本発明の別実施例によるマウントのガイド構造部及びディスプレー接続部の一部平面図である。
【図１４Ｂ】図１４Ｂは図１４Ａのガイド構造部及びディスプレー接続部の一部側面図である。
【図１５】図１５は本発明の１実施例によるマウントのディスプレー接続部及びガイド構造部の分解図である。
【図１６】図１６は本発明の別実施例による取付装置の側面図である。
【図１７】図１７は図１６の実施例の平面図である。
【図１８】図１８は図１６の実施例の底面図である。
【図１９】図１９は本発明の１実施例による取付装置の別実施例の背面図である。
【図２０】図２０は図１９の実施例の側面図である。
【図２１】図２１は図１９の実施例の平面図である。
【図２２】図２２は図２１の２２−２２線に沿った断面図である。
【図１】
2007206684.tif 000002
【図２】
2007206684.tif 000003
【図３】
2007206684.tif 000004
【図４】
2007206684.tif 000005
【図５】
2007206684.tif 000006
【図６】
2007206684.tif 000007
【図７】
2007206684.tif 000008
【図８】
2007206684.tif 000009
【図９】
2007206684.tif 000010
【図１０】
2007206684.tif 000011
【図１１】
2007206684.tif 000012
【図１２】
2007206684.tif 000013
【図１３】
2007206684.tif 000014
【図１４Ａ】
2007206684.tif 000015
【図１４Ｂ】
2007206684.tif 000016
【図１５】
2007206684.tif 000017
【図１６】
2007206684.tif 000018
【図１７】
2007206684.tif 000019
【図１８】
2007206684.tif 000020
【図１９】
2007206684.tif 000021
【図２０】
2007206684.tif 000022
【図２１】
2007206684.tif 000023
【図２２】
2007206684.tif 000024
【外国語明細書】
2007206684.tif 000025
2007206684.tif 000026
2007206684.tif 000027
2007206684.tif 000028
2007206684.tif 000029
2007206684.tif 000030
2007206684.tif 000031
2007206684.tif 000032
2007206684.tif 000033
2007206684.tif 000034
2007206684.tif 000035
2007206684.tif 000036
2007206684.tif 000037
2007206684.tif 000038
2007206684.tif 000039
2007206684.tif 000040
2007206684.tif 000041
2007206684.tif 000042
2007206684.tif 000043
2007206684.tif 000044
2007206684.tif 000045
2007206684.tif 000046
2007206684.tif 000047
2007206684.tif 000048
2007206684.tif 000049